(57)【特許請求の範囲】
【請求項１】
複数の端子と、
前記複数の端子にそれぞれ接続された複数の電線と、
前記複数の端子と前記複数の電線を一体に保持したハウジングと、
布状のシールド部材が接続されるシールド接続部を有するブラケットとを備え、
前記ハウジングは、前記複数の端子が一括して保持された端子保持部と、前記複数の電線が個別に保持された複数の電線保持部とを備え、前記複数の電線保持部は可撓性を有し、前記端子保持部から同一方向に突出する形態をなし、互いに離間しており、
前記電線保持部は、前記端子保持部に連なる大径部と、前記大径部に連なる小径部と、を備えて構成され、
前記小径部の後端は、前記シールド接続部の後縁よりも後方に位置しているコネクタ。
【請求項２】
前記ハウジングは、ケースに設けられた取付孔に嵌合可能な嵌合部を備え、前記電線保持部は、前記端子保持部から前記取付孔への嵌合方向と直交する方向に突出している請求項１に記載のコネクタ。
【発明の詳細な説明】
【技術分野】
【０００１】
本明細書によって開示される技術は、コネクタに関する。
【背景技術】
【０００２】
従来、電線の端末に接続された端子金具と、少なくとも端子金具と電線の接続部分を埋設してモールド成形された樹脂製の外装体とを備えた機器用コネクタとして、特開２００４−１７２０７１号公報（下記特許文献１）に記載のものが知られている。端子金具は、機器側端子に接続される機器接続部と、電線の絶縁被覆を皮剥ぎして露出させた導体が圧着された電線圧着部とを備えている。外装体は、端子金具の機器接続部の基端部を埋設した機器嵌合部と、電線圧着部を埋設した電線包囲部とを備え、電線は、電線包囲部から真っ直ぐ引き出されている。
【先行技術文献】
【特許文献】
【０００３】
【特許文献１】特開２００４−１７２０７１号公報
【発明の概要】
【発明が解決しようとする課題】
【０００４】
しかしながら、上記した機器用コネクタの取付環境によっては、電線が急角度に曲げられる場合があり、その場合に電線が断線するおそれがある。
【課題を解決するための手段】
【０００５】
本明細書によって開示されるコネクタは、複数の端子と、前記複数の端子にそれぞれ接続された複数の電線と、前記複数の端子と前記複数の電線を一体に保持したハウジングとを備え、前記ハウジングは、前記複数の端子が一括して保持された端子保持部と、前記複数の電線が個別に保持された複数の電線保持部とを備え、前記複数の電線保持部は可撓性を有し、前記端子保持部から同一方向に突出する形態をなし、互いに離間している構成とした。
【０００６】
このような構成によると、各電線が急角度に曲げられた場合に、各電線保持部が撓みやすくなるため、複数の電線保持部が一体に構成されている場合に比べて電線の曲げが緩やかになり、電線が断線することを回避できる。
【０００７】
本明細書によって開示されるコネクタは、以下の構成としてもよい。
前記ハウジングは、ケースに設けられた取付孔に嵌合可能な嵌合部を備え、前記電線保持部は、前記端子保持部から前記取付孔への嵌合方向と直交する方向に突出している構成としてもよい。
このような構成によると、複数の電線を曲げる際に、嵌合部がケースの取付孔から外れにくくなり、各電線保持部にかかる応力が大きくなるものの、各電線保持部が撓むことによって電線の曲げを緩やかにできる。
【０００８】
前記電線保持部は、前記端子保持部に連なる大径部と、前記大径部に連なる小径部とからなる構成としてもよい。
このような構成によると、大径部から小径部に向かうほど電線保持部が撓みやすくなるから、電線保持部が大径部のみで構成されている場合に比べて電線保持部の撓みが緩やかになり、電線保持部が破損しにくくなる。
【発明の効果】
【０００９】
本明細書によって開示されるコネクタによれば、電線が断線することを回避できる。
【図面の簡単な説明】
【００１０】
【図１】コネクタの斜視図
【図２】コネクタの平面図
【図３】コネクタの底面図
【図４】コネクタの正面図
【図５】コネクタの背面図
【図６】コネクタの左側面図
【図７】コネクタの右側面図
【図８】電線が急角度に曲げられた状態を示した図
【発明を実施するための形態】
【００１１】
＜実施形態＞
実施形態を図１から図８の図面を参照しながら説明する。本実施形態のコネクタ１０は、モータやインバータなどの機器に取り付けられる機器用コネクタである。コネクタ１０は、図１に示すように、複数の端子２０と、複数の端子２０に接続された複数の電線Ｗと、複数の端子２０と複数の電線Ｗを一体に保持したハウジング３０と、ハウジング３０を機器のケース１に取り付けるブラケット４０とを備えて構成されている。
【００１２】
端子２０は、平板状の導電性金属からなるバスバー端子であって、図２に示すように、図示しないボルトを通すボルト孔２１を有している。ボルト孔２１が設けられた部分は、ボルトに接続される機器側接続部２２とされている。図示はしないものの、電線Ｗに接続された電線側接続部は、ハウジング３０の内部に埋設されている。
【００１３】
ハウジング３０は合成樹脂製であって、図７に示すように、機器のケース１に設けられた取付孔２に嵌合可能な嵌合部３１を有している。嵌合部３１は全体として筒状をなし、その内部には横長の楕円形状をなす開口３２が上下方向に貫通して設けられている。端子２０の機器側接続部２２は、開口３２の内壁から開口３２の短尺方向に突出する形態で開口３２の長尺方向に並んで配設されている。また、嵌合部３１の外周面には、環状のゴムリング６０が装着されており、嵌合部３１がケース１の取付孔２に嵌合した状態では、取付孔２の内周面と嵌合部３１の外周面との間にゴムリング６０が挟持され、ケース１の内部が止水される。
【００１４】
嵌合部３１の後方には、複数の端子２０が一括して保持された端子保持部３３が設けられ、端子保持部３３の後方には、複数の電線Ｗが個別に保持された複数の電線保持部３４が設けられている。複数の電線保持部３４は可撓性を有し、端子保持部３３の後端からいずれも後方に突出する形態をなし、互いに離間している。ただし、複数の電線保持部３４のうち中央に位置する一対の電線保持部３４のみは連結部３５によって連結されている。連結部３５には孔３５Ａが上下方向に貫通して設けられている。
【００１５】
ブラケット４０は、平板状の導電性金属からなり、布状のシールド部材が接続されるシールド接続部４１と、シールド接続部４１の両側に設けられた一対の取付部４２とを備えて構成されている。シールド接続部４１は、図５に示すように、複数の電線保持部３４を下方から一括して囲うように湾曲しており、図２に示すように、一対の取付部４２は、ハウジング３０の左右両側に配されている。各取付部４２には、ハウジング３０側に張り出す形態をなす一対の上側装着片４３が設けられている。各上側装着片４３には、上下方向に貫通する一対の孔４３Ａが設けられている。
【００１６】
一方、ハウジング３０における端子保持部３３の両側には、一対の突起３６が設けられている。一対の突起３６は、ブラケット４０における一対の孔４３Ａにそれぞれ挿通されている。図３に示すように、シールド接続部４１の前縁には、下側装着片４４が設けられている。下側装着片４４は、ハウジング３０における孔３５Ａに下方から差し込まれている。これにより、ブラケット４０がハウジング３０に装着されている。
【００１７】
電線保持部３４は、詳細には図２に示すように、端子保持部３３の後端に連なる大径部３８と、大径部３８の後端に連なる小径部３９とを備えて構成されている。大径部３８の後端は、シールド接続部４１の前縁よりも後方に位置し、小径部３９の後端は、シールド接続部４１の後縁よりも後方に位置している。一方、端子保持部３３の上面には、複数の溝部３７が設けられている。隣り合う一対の大径部３８の離間距離は、溝部３７の幅寸法とほぼ一致している。隣り合う一対の大径部３８の間に形成された空間は、溝部３７に連なる形態でそのまま後方に延出されている。
【００１８】
さて、本実施形態のコネクタ１０は、図７に示すように、嵌合部３１が取付孔２に嵌合され、取付部４２がケース１に固定された後、図８に示すように、電線Ｗが略直角に曲げられるようになっている。電線Ｗの曲げに伴って電線保持部３４も上方に少し撓むようになっている。このため、電線Ｗの曲げを緩やかにし、電線Ｗの断線を防ぐことができる。なお、本実施形態ではシールド接続部４１が電線保持部３４の下方のみに設けられ、電線保持部３４の上方が開放されているため、シールド接続部４１によって電線保持部３４の撓みを阻害するおそれはない。
【００１９】
以上のように本実施形態によって開示されるコネクタ１０は、複数の端子２０と、複数の端子２０にそれぞれ接続された複数の電線Ｗと、複数の端子２０と複数の電線Ｗを一体に保持したハウジング３０とを備え、ハウジング３０は、複数の端子２０が一括して保持された端子保持部３３と、複数の電線が個別に保持された複数の電線保持部３４とを備え、複数の電線保持部３４は可撓性を有し、端子保持部３３から同一方向に突出する形態をなし、互いに離間している構成とした。
【００２０】
このような構成によると、各電線Ｗが急角度に曲げられた場合に、各電線保持部３４が撓みやすくなるため、複数の電線保持部３４が一体に構成されている場合に比べて電線Ｗの曲げが緩やかになり、電線Ｗが断線することを回避できる。
【００２１】
また、ハウジング３０は、ケース１に設けられた取付孔２に嵌合可能な嵌合部３１を備え、電線保持部３４は、端子保持部３３から取付孔２への嵌合方向と直交する方向に突出している構成としてもよい。
このような構成によると、複数の電線Ｗを曲げる際に、嵌合部３１がケース１の取付孔２から外れにくくなり、各電線保持部３４にかかる応力が大きくなるものの、各電線保持部３４が撓むことによって電線Ｗの曲げを緩やかにできる。
【００２２】
電線保持部３４は、端子保持部３３に連なる大径部３８と、大径部３８に連なる小径部３９とからなる構成としてもよい。
このような構成によると、大径部３８から小径部３９に向かうほど電線保持部３４が撓みやすくなるから、電線保持部３４が大径部３８のみで構成されている場合に比べて電線保持部３４の撓みが緩やかになり、電線保持部３４が破損しにくくなる。
【００２３】
＜他の実施形態＞
本明細書によって開示される技術は上記記述及び図面によって説明した実施形態に限定されるものではなく、例えば次のような種々の態様も含まれる。
（１）上記実施形態では嵌合部３１の取付孔２への嵌合方向と、電線保持部３４の端子保持部３３からの突出方向とが、互いに直交する方向とされているものの、前記嵌合方向と前記突出方向とが同じ方向となるようにしてもよい。
【００２４】
（２）上記実施形態では電線保持部３４が大径部３８と小径部３９とからなる構成としているものの、電線保持部が同一径で構成されているものとしてもよい。
【符号の説明】
【００２５】
１０…コネクタ
２０…端子
３０…ハウジング
３１…嵌合部
３３…端子保持部
３４…電線保持部
３８…大径部
３９…小径部
Ｗ…電線
【図１】
0006551138.tif 000002
【図２】
0006551138.tif 000003
【図３】
0006551138.tif 000004
【図４】
0006551138.tif 000005
【図５】
0006551138.tif 000006
【図６】
0006551138.tif 000007
【図７】
0006551138.tif 000008
【図８】
0006551138.tif 000009